(57)【要約】【課題】本発明の課題は、エアコンダクトなどの貫通口装置と通線配管を一体化することにより、新たに建物の外壁を貫通する簡易な工事が不要となり、回線開通工期が短縮し、建物の躯体強度の低下を防ぐなど、運用及び美観上優れた通線配管付貫通口装置及びケーブル配線方法を提供することにある。【解決手段】本発明は、建物の外壁を貫通して設置されたエアコンダクトなどの貫通口装置において、建物の外壁を貫通する通線配管が前記貫通口装置に一体化して設けられたことを特徴とするものである。【選択図】図１
2006333633.tif 000002
【特許請求の範囲】
【請求項１】
建物の外壁を貫通して設置された貫通口装置において、建物の外壁を貫通する通線配管が前記貫通口装置に一体化して設けられたことを特徴とする通線配管付貫通口装置。
【請求項２】
貫通口装置として、エアコンダクト、換気扇、あるいは換気口を用いることを特徴とする請求項１に記載の通線配管付貫通口装置。
【請求項３】
通線配管は、建物の躯体強度を低下させないように貫通口装置の筐体の一部に設置されることを特徴とする請求項１又は２に記載の通線配管付貫通口装置。
【請求項４】
貫通口装置は、通線配管に対応して配線ケーブルの断面積以上の大きさよりなる切欠部、前記切欠部周辺のフェースプレートの肉厚を薄く形成する切欠加工部、及び前記切欠加工部周辺のフェースプレートの肉厚を厚く形成する強度補強部を有するフェースプレートを具備することを特徴とする請求項１、２又は３に記載の通線配管付貫通口装置。
【請求項５】
切欠部を配線ケーブルの数に応じて切り欠き、切欠部が切り欠かれた開口部に配線ケーブルを通線することを特徴とする請求項１、２、３又は４に記載の通線配管付貫通口装置。
【請求項６】
通線配管は、光ファイバケーブル、メタリックケーブル、あるいは同軸ケーブルの配線ケーブルが通線されることを特徴とする請求項１乃至５のいずれかに記載の通線配管付貫通口装置。
【請求項７】
通線配管は、配管内部が空洞、あるいは配管内部に密封剤が充填されていることを特徴とする請求項１乃至６のいずれかに記載の通線配管付貫通口装置。
【請求項８】
建物の外壁を貫通して設置され、冷媒管の外周に密封剤が充填されたエアコンダクト部を介してエアコンダクトカバーが設けられると共に、前記冷媒管及びエアコンダクト部の端面に蓋をするようにフェースプレートが設けられたエアコンダクトにおいて、
前記エアコンダクト部に一体化して設けられ、建物の外壁を貫通する通線配管と、
前記フェースプレートに設けられた、前記通線配管に対応して配線ケーブルの断面積以上の大きさよりなる切欠部、前記切欠部周辺のフェースプレートの肉厚を薄く形成する切欠加工部、及び前記切欠加工部周辺のフェースプレートの肉厚を厚く形成する強度補強部と
を具備することを特徴とする通線配管付貫通口装置。
【請求項９】
請求項１乃至８のいずれかに記載の通線配管付貫通口装置を用いて、配線ケーブルが建物内に布設されることを特徴とするケーブル配線方法。
【発明の詳細な説明】
【技術分野】
【０００１】
本発明は、回線開通時、外部からの光ファイバケーブル等の配線ケーブルを戸建住宅、ビルなどの建物内に引き通す場合、建物の外壁を貫通して設置されたエアコンダクト（空調機ダクト）、換気扇、換気口などの貫通口装置と、建物の外壁を貫通して配線ケーブルを通線する通線配管とを一体化した通線配管付貫通口装置及び前記通線配管付貫通口装置を使用したケーブル配線方法に関するものである。
【背景技術】
【０００２】
従来、回線開通時、外部から光ファイバケーブル、メタリックケーブル、あるいは同軸ケーブル等の配線ケーブルを戸建住宅、ビルなどの建物内に引き通す場合、既設の配管などを利用することが一般的である。また、既設の配管がない、あるいは十分な必要スペースがない場合には、苦肉の策として、ほとんどの建物の外壁に設置されたエアコンダクト、換気扇、あるいは換気口などの貫通口装置から通線することが知られている。
【０００３】
図２（ａ）は従来のエアコンダクトを示す断面図であり、図２（ｂ）は同じく正面図である。図２（ａ）に示すように、冷媒管１１の周囲にはパテなどの密封剤よりなるエアコンダクト部１２を介してエアコンダクトカバー１３が設けられる。図２（ｂ）に示すように、エアコンダクトの正面には、前記冷媒管１１及びエアコンダクト部１２の端面を蓋するようにフェースプレート１４が設けられる。例えば、エアコンダクトからの通線では、既にエアコンダクト内に冷媒管が入っている場合には、エアコンダクト部のパテなどの密封剤を除去し、外部からの配線ケーブル通線後、再度、パテなどの密封剤を埋め戻すことになる。しかし、外部からの配線ケーブルを終端する回線終端装置（ＯＮＵ：Ｏｐｔｉｃａｌ  Ｎｅｔｗｏｒｋ  Ｕｎｉｔ）、ユーザ端末などの設置する部屋が、エアコンダクト近傍にない、エアコンダクトが地下配置となっており、配線ケーブルを通線できない、などの理由により、新たに建物の外壁に通線配管を設けるほか、回線開通させる手段がないケースが多々散見される。
【０００４】
このように、新たに建物の外壁に通線配管を設ける場合には、外壁を電動ドリルで貫通させる簡易な工事が発生し、ユーザによっては、建物の美観を損ねるほか、躯体強度を低下させる懸念があるため、工事中止となり、回線開通ができないことがある。実際に、貫通工事の箇所、外壁の材質によっては、建物の躯体強度が低下する。また、建物の外壁に設置されたエアコンダクト、換気扇、あるいは換気口などの貫通口装置を利用した通線は、正規な工法ではなく、例えば、エアコン配管などに障害が発生した場合、配管を通線しない配線ケーブルに対し、影響を被るなど、運用および美観上好ましくない。
【０００５】
また、本発明に関連する公知技術として、光ファイバ導入にかかわる配線工事や、その後のサポートをトータルで行う技術が知られている（例えば、非特許文献１参照。）。
【非特許文献１】“光ファイバー導入ガイド”、［online］  ２００５年４月１１日検索、インターネット＜URL:http://www.bbb21.com/fiber.html＞
【発明の開示】
【発明が解決しようとする課題】
【０００６】
回線開通時、配管、エアコンダクト、換気扇、あるいは換気口などの貫通口装置がなく、新たに建物の外壁に通線配管を設ける場合には、工法、建物自体において、運用あるいは美観上の問題が理由となり、通線工事が不可となる場合がある。
【０００７】
本発明は上記の事情に鑑みてなされたもので、エアコンダクト、換気扇、あるいは換気口などの貫通口装置と通線配管を一体化することにより、新たに建物の外壁を貫通する簡易な工事が不要となり、回線開通工期が短縮し、建物の躯体強度の低下を防ぐなど、運用及び美観上優れた通線配管付貫通口装置及びケーブル配線方法を提供することを目的とする。
【課題を解決するための手段】
【０００８】
上記目的を達成するために本発明の通線配管付貫通口装置は、建物の外壁を貫通して設置された貫通口装置において、建物の外壁を貫通する通線配管が前記貫通口装置に一体化して設けられたことを特徴とするものである。
【０００９】
また本発明は、前記貫通口装置として、エアコンダクト、換気扇、あるいは換気口を用いることを特徴とするものである。
【００１０】
また本発明の通線配管は、建物の躯体強度を低下させないように貫通口装置の筐体の一部に設置されることを特徴とするものである。
【００１１】
また本発明の通線配管付貫通口装置は、通線配管に対応して配線ケーブルの断面積以上の大きさよりなる切欠部、前記切欠部周辺のフェースプレートの肉厚を薄く形成する切欠加工部、及び前記切欠加工部周辺のフェースプレートの肉厚を厚く形成する強度補強部を有するフェースプレートを具備することを特徴とするものである。
【００１２】
また本発明の通線配管付貫通口装置は、切欠部を配線ケーブルの数に応じて切り欠き、切欠部が切り欠かれた開口部に配線ケーブルを通線することを特徴とするものである。
【００１３】
また本発明の通線配管は、光ファイバケーブル、メタリックケーブル、あるいは同軸ケーブルの配線ケーブルが通線されることを特徴とするものである。
【００１４】
また本発明の通線配管は、配管内部が空洞、あるいは配管内部に密封剤が充填されていることを特徴とするものである。
【００１５】
また本発明の通線配管付貫通口装置は、建物の外壁を貫通して設置され、冷媒管の外周に密封剤が充填されたエアコンダクト部を介してエアコンダクトカバーが設けられると共に、前記冷媒管及びエアコンダクト部の端面に蓋をするようにフェースプレートが設けられたエアコンダクトにおいて、前記エアコンダクト部に一体化して設けられ、建物の外壁を貫通する通線配管と、前記フェースプレートに設けられた、前記通線配管に対応して配線ケーブルの断面積以上の大きさよりなる切欠部、前記切欠部周辺のフェースプレートの肉厚を薄く形成する切欠加工部、及び前記切欠加工部周辺のフェースプレートの肉厚を厚く形成する強度補強部とを具備することを特徴とするものである。
【００１６】
また本発明のケーブル配線方法は、前記通線配管付貫通口装置を用いて、配線ケーブルが建物内に布設されることを特徴とする。
【発明の効果】
【００１７】
本発明の通線配管付貫通口装置及びケーブル配線方法は、回線開通時、外部からの配線ケーブルを戸建住宅、ビルなどの建物内に引き通す場合、比較的多くの建物に備えられるエアコンダクト、換気扇、換気口などの貫通口装置と通線配管を一体化したことにより、通線配管を用いた配線ケーブルの正式な通線工法が実現できるばかりか、新たに建物の外壁を貫通する簡易な工事が不要になり、回線開通工期の短縮に寄与する。また、生活必要度の高いエアコンダクト、換気扇、換気口などの貫通口装置の設置時に併せ、通線配管が施工可能となり、単独で通線配管を設置するより、建物の躯体強度の低下などの不信を煽らないなど、運用及び美感上優れたものになる。
【発明を実施するための最良の形態】
【００１８】
以下図面を参照して本発明の実施の形態例を詳細に説明する。
図１（ａ）は本発明の実施形態例に係るエアコンダクトを示す断面図であり、図１（ｂ）は同じく正面図である。図１（ａ）に示すように、円筒状の冷媒管２１内には冷房あるいは暖房用のエアコン流体が流される。前記冷媒管２１の外周囲にはパテなどの密封剤が敷き詰められて充填されたエアコンダクト部２２が設けられ、前記エアコンダクト部２２の外周囲にはエアコンダクトカバー２３が設けられる。前記エアコンダクト部２２内には複数の通線配管２４が軸方向に一体化して設けられる。前記通線配管２４中には光ファイバケーブル、メタリックケーブル、あるいは同軸ケーブル等の配線ケーブル２５が通される。エアコンダクトの端面には、図１（ｂ）に示すように、冷媒管２１、エアコンダクト部２２、及び通線配管２４に蓋をするようにしてフェースプレート２６が取り付けられる。前記フェースプレート２６には、通線配管２４に対応して配線ケーブル２５の断面積以上の大きさよりなる切欠部２７、前記切欠部２７周辺のフェースプレート２６の肉厚を他のフェースプレート２６部分の肉厚より薄く形成する切欠加工部２８、及び前記切欠加工部２８周辺のフェースプレート２６の肉厚を他のフェースプレート２６部分の肉厚以上に厚く形成する強度補強部２９が設けられる。
【００１９】
すなわち、回線開通の需要発生時、エアコンダクトからの通線が必要な場合において、フェースプレート２６の切欠加工部２８のところをニッパなどの工具を用いて切り、配線ケーブル２５の数に応じて切欠部２７を切り欠く。切欠部２７が切り欠かれた開口部から通線配管２４に光ファイバケーブルなどの配線ケーブル２５を通線する。切欠加工部２８は切欠部２７を切り欠き易い構造とするため、切欠加工部２８の肉厚を他のフェースプレート２６部分の肉厚より薄く形成する。強度補強部２９は、切欠部２７が切り取られて開口部が形成されたフェースプレート２６の強度低下を防止するため、強度補強部２９の肉厚を他のフェースプレート２６部分の肉厚以上に厚く形成する。尚、図１（ｂ）では、切欠部２７、切欠加工部２８、強度補強部２９を８箇所設けているが、１つ以上あれば構わない。また、通線配管２４は、配管内部が空洞、あるいは配管内部に密封剤が充填されている。
【００２０】
図３（ａ）は本発明の実施形態例に係るケーブル配線方法の屋外側を示す斜視図であり、図３（ｂ）は同じく屋内側を示す斜視図である。図３（ａ）に示すように、戸建住宅等の建物の屋外側にはエアコン（空調機）の屋外機３１が設置され、前記屋外機３１には冷媒管３２が接続される。前記建物の外壁３３には図１（ａ），（ｂ）に示すような通線配管付貫通口装置の一例であるエアコンダクト３４が貫通して設置され、前記エアコンダクト３４に前記冷媒管３２が通される。前記建物の屋外側には屋外光キャビネット３５が取り付けられ、前記屋外光キャビネット３５には光用クリート３６により配線されたドロップ光ファイバケーブル３７が接続される。一方、図３（ｂ）に示すように、戸建住宅等の建物の屋内側にはエアコンの屋内機３８が設置され、前記屋内機３８には前記エアコンダクト３４を通した冷媒管３２が接続される。前記建物の屋内側には配線ケーブルの一例であるインドア光ファイバケーブル３９が光ステップル４０により配線され、前記インドア光ファイバケーブル３９の一端は前記エアコンダクト３４の通線配管を通して前記屋外光キャビネット３５で前記ドロップ光ファイバケーブル３７と接続される。前記インドア光ファイバケーブル３９の他端は光アウトレット４１に接続され、前記光アウトレット４１には光コード４２を介して回線終端装置（ＯＮＵ）４３が接続される。
【００２１】
すなわち、回線開通時、図１（ａ），（ｂ）に示すようなエアコンダクト３４の通線配管を通して、外部のドロップ光ファイバケーブル３７と接続されたインドア光ファイバケーブル３９を建物内に引き通して布設するホームネットワーク用ケーブル配線方法である。
【００２２】
尚、前記実施形態例ではエアコンダクトについて説明したが、これに限らず、例えば換気扇あるいは換気口等の建物の外壁を貫通して設置される貫通口装置に実施することができる。この場合、通線配管は建物の躯体強度を低下させないように貫通口装置の筐体の一部に設置される。
【００２３】
以上のように本実施形態例の通線配管付貫通口装置は、比較的多くの建物に備えられる（建物の機能として、配管より必要性が高い）エアコンダクト、換気扇、換気口などの貫通口装置と通線配管を一体化させた筐体となり、建物の外壁に設置され、通線配管は、建物の屋外および屋内側に蓋状のフェースプレートを具備し、配管内部は空洞あるいは密封剤が充填されていることを特徴とする。また、本実施形態例の通線配管付貫通口装置は、フェースプレート内に切欠部を備え、ユーザに対する回線開通の需要が発生した場合、フェースプレートの肉厚を薄くした切欠加工部において、必要な箇所あるいは数量の切欠部を切り欠き、通線配管を介して外部からの配線ケーブルの通線を可能とする。また、切欠部周辺の肉厚を薄く形成する切欠加工部、切欠加工部周辺のフェースプレート本体の肉厚を厚く形成する強度補強部を具備することを特徴とする。
【００２４】
なお、本発明は、上記実施形態例そのままに限定されるものではなく、実施段階ではその要旨を逸脱しない範囲で構成要素を変形して具体化できる。また、上記実施形態例に開示されている複数の構成要素の適宜な組み合せにより種々の発明を形成できる。例えば、実施形態例に示される全構成要素から幾つかの構成要素を削除してもよい。更に、異なる実施形態例に亘る構成要素を適宜組み合せてもよい。
【図面の簡単な説明】
【００２５】
【図１】（ａ）は本発明の実施形態例に係るエアコンダクトを示す断面図であり、（ｂ）は同じく正面図である。
【図２】（ａ）は従来のエアコンダクトを示す断面図であり、（ｂ）は同じく正面図である。
【図３】（ａ）は本発明の実施形態例に係るケーブル配線方法の屋外側を示す斜視図であり、（ｂ）は同じく屋内側を示す斜視図である。
【符号の説明】
【００２６】
２１…冷媒管、２２…エアコンダクト部、２３…エアコンダクトカバー、２４…通線配管、２５…配線ケーブル、２６…フェースプレート、２７…切欠部、２８…切欠加工部、２９…強度補強部。
【図１】
2006333633.tif 000003
【図２】
2006333633.tif 000004
【図３】
2006333633.tif 000005